(57)【要約】【課題】用紙の縦横比とは異なる縦横比の画像を印刷する場合に、ユーザの感覚にマッチした印刷を行うことが可能な画像処理装置及びプログラムを提供する。【解決手段】画像処理装置は、画像を選択する選択手段と、選択された前記画像の縦横比が予め定められた縦横比の範囲の上限値を超える場合は、前記縦横比の範囲に収まるように前記画像の横方向の端部を削除し、選択された前記画像が前記縦横比の範囲の下限値未満の場合は、前記縦横比の範囲に収まるように前記画像の横方向の端部に余白の領域を付加するよう指示する指示手段２０２と、を備える。【選択図】図２
2019022082.tif 000002
【特許請求の範囲】
【請求項１】
画像を選択する選択手段と、
選択された前記画像の縦横比が予め定められた縦横比の範囲の上限値を超える場合は、前記予め定められた縦横比の範囲に収まるように前記画像の横方向の端部を削除し、選択された前記画像が前記予め定められた縦横比の範囲の下限値未満の場合は、前記予め定められた縦横比の範囲に収まるように前記画像の横方向の端部に余白の領域を付加するよう指示する指示手段と、
を備えた画像処理装置。
【請求項２】
前記画像の縦横比が前記予め定められた縦横比の範囲の上限値を超える場合に、前記画像の縮小画像を表示するとともに、削除する範囲を変更できるよう制御する表示制御手段、
をさらに備えた請求項１に記載の画像処理装置。
【請求項３】
前記表示制御手段は、前記縮小画像に削除後の範囲を示すマークを重ねて表示し、前記マークを移動させることで前記削除する範囲を変更可能とする、
請求項２に記載の画像処理装置。
【請求項４】
前記画像の縦横比が前記予め定められた縦横比の範囲の下限値未満の場合に、前記画像の縮小画像を表示するとともに、前記余白の領域の範囲を変更できないようよう制御する表示制御手段、
をさらに備えた請求項１に記載の画像処理装置。
【請求項５】
選択された前記画像、及び前記指示手段による指示内容を外部装置に送信する送信手段、
をさらに備えた請求項１から４のいずれか１項に記載の画像処理装置。
【請求項６】
選択された前記画像を前記指示手段による指示内容に従って加工する加工手段と、
前記加工手段により加工された画像を外部装置に送信する送信手段と、
をさらに備えた請求項１から４のいずれか１項に記載の画像処理装置。
【請求項７】
前記画像を印刷する用紙の種類を選択する第２の選択手段と、
選択された前記画像を前記指示手段による指示内容に従って加工する加工手段と、をさらに備え、
前記加工手段は、前記第２の選択手段により写真用紙以外の用紙が選択された場合は、前記指示内容に従って加工を行わない、
請求項１に記載の画像処理装置。
【請求項８】
前記第２の選択手段により前記写真用紙以外の用紙が選択された場合は、印刷設定の確認画面を表示し、前記写真用紙が選択された場合は、横方向の端部の削除および横方向の端部への余白の領域の付加はしないよう制御する表示制御手段、
をさらに備えた請求項７に記載の画像処理装置。
【請求項９】
コンピュータを、
画像を選択する選択手段と、
選択された前記画像の縦横比が予め定められた縦横比の範囲の上限値を超える場合は、前記予め定められた縦横比の範囲に収まるように前記画像の横方向の端部を削除し、選択された前記画像が前記予め定められた縦横比の範囲の下限値未満の場合は、前記予め定められた縦横比の範囲に収まるように前記画像の横方向の端部に余白の領域を付加するよう指示する指示手段、
として機能させるためのプログラム。
【発明の詳細な説明】
【技術分野】
【０００１】
本発明は、画像処理装置及びプログラムに関する。
【背景技術】
【０００２】
近年、デジタルカメラからモードを指定して印刷する際に、画像処理のためのメモリを節約する画像処理装置が提案されている（例えば、特許文献１参照。）。
【０００３】
特許文献１に記載された画像処理装置は、プリント画像のアスペクト比（Ａｐ）がオリジナル画像のアスペクト比（Ａｏ）よりも小さい場合（Ａｐ＜Ａｏ）、オリジナル画像を、その幅方向がプリント画像の幅と一致するようにオリジナル画像の高さ方向をトリミング（カット）し、プリント画像のアスペクト比（Ａｐ）がオリジナル画像のアスペクト比（Ａｏ）よりも大きい場合（Ａｐ＞Ａｏ）、オリジナル画像を、その高さ方向がプリント画像の高さと一致するようにオリジナル画像の幅方向をトリミング（カット）するものである。ここで、アスペクト比（Ａ）は、画像の幅（Ｗ）と高さ（Ｈ）の比（Ａ＝Ｈ／Ｗ）とされている。
【先行技術文献】
【特許文献】
【０００４】
【特許文献１】特開２００３−４６７６３号公報
【発明の概要】
【発明が解決しようとする課題】
【０００５】
本発明の課題は、用紙の縦横比とは異なる縦横比の画像を印刷する場合に、ユーザの感覚にマッチした印刷を行うことが可能な画像処理装置及びプログラムを提供することにある。
【課題を解決するための手段】
【０００６】
［１］画像を選択する選択手段と、
選択された前記画像の縦横比が予め定められた縦横比の範囲の上限値を超える場合は、前記予め定められた縦横比の範囲に収まるように前記画像の横方向の端部を削除し、選択された前記画像が前記予め定められた縦横比の範囲の下限値未満の場合は、前記予め定められた縦横比の範囲に収まるように前記画像の横方向の端部に余白の領域を付加するよう指示する指示手段と、
を備えた画像処理装置。
［２］前記画像の縦横比が前記予め定められた縦横比の範囲の上限値を超える場合に、前記画像の縮小画像を表示するとともに、削除する範囲を変更できるよう制御する表示制御手段、
をさらに備えた前記［１］に記載の画像処理装置。
［３］前記表示制御手段は、前記縮小画像に削除後の範囲を示すマークを重ねて表示し、前記マークを移動させることで前記削除する範囲を変更可能とする、
前記［２］に記載の画像処理装置。
［４］前記画像の縦横比が前記予め定められた縦横比の範囲の下限値未満の場合に、前記画像の縮小画像を表示するとともに、前記余白の領域の範囲を変更できないようよう制御する表示制御手段、
をさらに備えた前記［１］に記載の画像処理装置。
［５］選択された前記画像、及び前記指示手段による指示内容を外部装置に送信する送信手段、
をさらに備えた前記［１］から［４］のいずれかに記載の画像処理装置。
［６］選択された前記画像を前記指示手段による指示内容に従って加工する加工手段と、
前記加工手段により加工された画像を外部装置に送信する送信手段と、
をさらに備えた前記［１］から［４］のいずれかに記載の画像処理装置。
［７］前記画像を印刷する用紙の種類を選択する第２の選択手段と、
選択された前記画像を前記指示手段による指示内容に従って加工する加工手段と、をさらに備え、
前記加工手段は、前記第２の選択手段により写真用紙以外の用紙が選択された場合は、前記指示内容に従って加工を行わない、
前記［１］に記載の画像処理装置。
［８］  前記第２の選択手段により前記写真用紙以外の用紙が選択された場合は、印刷設定の確認画面を表示し、前記写真用紙が選択された場合は、横方向の端部の削除および横方向の端部への余白の領域の付加はしないよう制御する表示制御手段、
をさらに備えた前記［７］に記載の画像処理装置。
［９］コンピュータを、
画像を選択する選択手段と、
選択された前記画像の縦横比が予め定められた縦横比の範囲の上限値を超える場合は、前記予め定められた縦横比の範囲に収まるように前記画像の横方向の端部を削除し、選択された前記画像が前記予め定められた縦横比の範囲の下限値未満の場合は、前記予め定められた縦横比の範囲に収まるように前記画像の横方向の端部に余白の領域を付加するよう指示する指示手段、
として機能させるためのプログラム。
【発明の効果】
【０００７】
請求項１、９に係る発明によれば、用紙の縦横比とは異なる縦横比の画像を印刷する場合に、ユーザの感覚にマッチした印刷を行うことが可能になる。
請求項２に係る発明によれば、削除する範囲をユーザが変更することができる。
請求項３に係る発明によれば、両方の端部を削除する範囲を一度に変更することができる。
請求項４に係る発明によれば、必要性の低い機能を省くことができる。
請求項５に係る発明によれば、指示内容に基づく加工を外部装置に行わせることができる。
請求項６に係る発明によれば、指示内容に基づく加工を自装置で行うことができる。
請求項７に係る発明によれば、写真用紙以外の用紙が選択された場合は、縦横比に基づく加工を行わずに印刷することができる。
請求項８に係る発明によれば、写真用紙を選択した場合に、印刷設定の確認を省くことができる。
【図面の簡単な説明】
【０００８】
【図１】図１は、本発明の実施の形態に係る画像形成システムの構成例を示す図である。
【図２】図２は、端末装置の制御系の一例を示すブロック図である。
【図３】図３は、メニュー画面の一例を示す図である。
【図４】図４は、写真が選択される前の写真選択画面の一例を示す図である。
【図５】図５は、トリミング画面の一例を示す図である。
【図６】図６は、余白付加画面の一例を示す図である。
【図７】図７は、複数の写真が選択された状態を示す写真選択画面の一例を示す図である。
【図８】図８は、予約番号一覧画面の一例を示す図である。
【図９】図９は、写真取消画面の一例を示す図である。
【図１０】図１０は、写真が取り消された後の写真選択画面の一例を示す図である。
【図１１】図１１は、端末装置の動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像処理装置は、画像を選択する選択手段と、選択された前記画像の縦横比が予め定められた縦横比の範囲の上限値を超える場合は、前記予め定められた縦横比の範囲に収まるように前記画像の横方向の端部を削除し、選択された前記画像が前記予め定められた縦横比の範囲の下限値未満の場合は、前記予め定められた縦横比の範囲に収まるように前記画像の横方向の端部に余白の領域を付加するよう指示する指示手段と、を備える。
【００１１】
選択手段が選択する画像には、例えば、カメラ機能付きの多機能電話機（スマートフォン）で撮影された、縦横比が比較的大きい横長の写真の画像や、ＳＮＳ（Social Networking Service）経由で取得した比較的正方形に近い画像等、縦横比が異なる画像が含まれる。
【００１２】
選択手段が選択する画像は、画像処理装置が有する記憶部から選択してもよく、クラウドサーバ等の外部の記憶装置から選択してもよい。
【００１３】
「画像の縦横比」は、画像の短辺（縦）の長さ：長辺（横）の長さの比をいう。例えば、長辺が縦になるように写真を撮影した場合でも長辺を横、短辺を縦として縦横比が定まる。「画像の横方向」とは、画像の長辺を横にした場合の方向をいう。
【００１４】
［実施の形態］
図１は、本発明の実施の形態に係る画像形成システムの構成例を示す図である。この画像形成システム１は、ユーザが操作する端末装置２と、画像を管理するサーバ装置３と、ユーザが指示した画像処理を実行する画像形成装置４とを備える。端末装置２、サーバ装置３及び画像形成装置４は、インターネット５を介して互いに接続されている。端末装置２は、画像処理装置の一例である。
【００１５】
端末装置２は、例えば、パーソナルコンピュータ（ＰＣ）、多機能携帯電話機（スマートフォン）等の携帯型の情報処理装置を用いることができる。
【００１６】
端末装置２は、ユーザにより選択された画像、例えば写真のファイルをサーバ装置３にアップロードすると、サーバ装置３から当該ファイルに対応する予約番号が通知されるようになっている。
【００１７】
サーバ装置３は、端末装置２から送信された写真のファイルを受信すると、予約番号を発番して端末装置２に予約番号を通知する。サーバ装置３は、画像形成装置４から予約番号とともに写真のファイルの送信要求があると、対応する写真のファイルを画像形成装置４に送信する。
【００１８】
画像形成装置４は、例えば、画像処理の一例としてスキャン、プリント、ファックス、コピー等の複数の機能を有する複合機である。画像形成装置４は、例えば、コンビニエンスストア、フォトサービスショップ、プリントサービスショップ、デパート等の店舗や、図書館、役所、病院等の施設に設置されている。
【００１９】
画像形成装置４は、ユーザから予約番号が入力され、画像の印刷要求があると、サーバ装置３に予約番号とともに写真のファイルの送信要求を行う。サーバ装置３から予約番号に対応する写真のファイルが送信されると、画像形成装置４はファイルに含まれている写真を写真の規定のサイズ（例えば、Ｌサイズ）用の写真用紙（プリント用紙ともいう。）に印刷して出力する。なお、写真の規定のサイズは、Ｌサイズに限られず、また複数のサイズから選択できるようにしてもよい。
【００２０】
図２は、端末装置２の制御系の一例を示すブロック図である。端末装置２は、端末装置２の各部を制御する制御部２０と、各種の情報を記憶する記憶部２１と、操作表示部２２と、無線通信部２３とを備える。
【００２１】
制御部２０は、ＣＰＵ（Central Processing Unit）、インターフェース等から構成されている。ＣＰＵは、プログラム２１０に従って動作することにより受付手段２００、表示制御手段２０１、指示手段２０２、加工手段２０３、送信手段２０４等として機能する。各手段２００〜２０４の詳細は後述する。受付手段２００は、選択手段の一例である。
【００２２】
記憶部２１は、ＲＯＭ（Read Only Memory）、ＲＡＭ（Random Access Memory）、ハードディスク等から構成され、プログラム２１０、画像データ２１１等が記憶されている。プログラム２１０には、記憶部２１に記憶されている写真を管理するアプリケーションが含まれる。
【００２３】
操作表示部２２は、液晶ディスプレイ等の表示部にタッチパネルが重合配置されたタッチパネルディスプレイを有し、表示画面を表示部に表示するとともに、操作者からタッチパネルへの操作を受け付ける。なお、操作表示部２２は、独立して設けられた入力部及び表示部により構成してもよい。
【００２４】
無線通信部２３は、サーバ装置３との間で、例えば、ＷｉーＦｉ及びインターネット５を経由した無線通信を行うものである。
【００２５】
受付手段２００は、操作表示部２２に対する操作や操作表示部２２が表示している画面に対する操作を受け付ける。
【００２６】
表示制御手段２０１は、ユーザの操作表示部２２に対する操作に基づいて操作表示部２２の表示画面にメニュー画面１００（図３参照）、写真選択画面１１０（図４、図７参照）、トリミング画面１２０（図５参照）、余白付加画面１３０（図６参照）、予約番号一覧画面（図８参照）、写真取消画面１５０（図９参照）、ダウンロード画面等の各種の画面を表示するよう制御する。トリミング画面１２０及び余白付加画面１３０は、確認画面の一例である。
【００２７】
表示制御手段２０１は、画像の縦横比が予め定められた縦横比の範囲の上限値を超える場合に、加工された画像のサムネイル画像をトリミング画面１２０に表示するとともに、削除（トリミングともいう。）する範囲を変更できるように表示する。サムネイル画像とは、元の画像の画素数を減らして画像のサイズを小さくした画像をいう。サムネイル画像は、縮小画像の一例である。
【００２８】
指示手段２０２は、選択された画像の縦横比が予め定められた縦横比の範囲の上限値を超える場合は、予め定められた縦横比の範囲に収まるように画像の横方向の端部を削除し、選択された画像が予め定められた縦横比の範囲の下限値未満の場合は、予め定められた縦横比の範囲に収まるように画像の横方向の端部に余白の領域を付加するよう指示する。予め定められた縦横比の範囲は、予め定められた写真の規格の縦横比（例えば、Ｌサイズの場合は１：約１．４）を含む範囲、例えば、短辺（縦）の長さ：長辺（横）の長さの比が１：１．３〜１：１．５である。なお、画像の各辺のうち長い方を長辺、短い方を短辺とする。したがって、長辺を縦にして写真を撮影した場合でも長辺を横、短辺を縦として縦横比が算出される。
【００２９】
画像の縦横比とは異なる縦横比の用紙に対応させるためには、次の方法がある。縦横比が比較的大きい横長の画像の場合には、横方向の端部を削除する方法と、縦方向の端部に余白領域を付加する方法とがある。正方形に近い画像の場合には、横方向の端部に余白領域を付加する方法と、縦方向の端部を削除する方法とがある。スマートフォンが横方向に長くなったことから、スマートフォンで撮影する写真には横に延びたものが増えてきているが、例えば、写真の縦横比が１：２の場合には縦方向の端部に余白領域を設けた場合、３０％近くが余白領域となり、横方向の端部をトリミングした場合と比べて約７０％のサイズに縮小されてしまう。また、InstagramなどＳＮＳにアップロードされたものは、正方形に近い画像であることが多く、投稿された写真の全体を表示することが望まれていることから、トリミングよりも余白領域を付加した方がよい。
【００３０】
加工手段２０３は、指示手段２０２の指示に従い、画像の加工処理を行う。加工処理には、トリミング処理、余白付加処理、拡大縮小処理等がある。
【００３１】
送信手段２０４は、選択された画像をファイルとして無線通信部２３によりインターネット５を介してサーバ装置３に送信する。
【００３２】
次に、表示制御手段２０１が操作表示部２２に表示する画面について図３乃至図８を参照して説明する。
【００３３】
図３は、操作表示部２２に表示されるメニュー画面の一例を示す図である。メニュー画面１００には、「フォト用紙にプリント」、「普通紙／はがきにプリント」、「テキストをプリント」、「ウェブページをプリント」、「他アプリからプリント」等の複数のプリントモード１０１〜１０５が表示され、これらが選択できるようになっている。
【００３４】
「フォト用紙にプリント」のプリントモード１０１の詳細については、後述するのでここでは説明を省略する。「普通紙／はがきにプリント」のプリントモード１０２は、アルバムから写真を選んで普通紙又ははがきに印刷するモードである。「テキストをプリント」のプリントモード１０３は、文字を入力して普通紙に印刷するモードである。「ウェブページをプリント」のプリントモード１０４は、ＵＲＬで指定したウェブページを普通紙に印刷するモードである。「他アプリからプリント」のプリントモード１０５は、ＰＤＦ、Ｗｏｒｄ等の文書の印刷方法やメールでファイルを登録する方法を案内するものである。「フォト用紙にプリント」以外のプリントモード１０２〜１０５を選択した場合は、用紙の種類を含む印刷設定を行うための画面や、印刷設定の内容を確認する確認画面が表示されるようになっている。
【００３５】
「フォト用紙にプリント」以外のプリントモード１０２〜１０５において、表示制御手段２０１は、用紙の種類を選択する用紙選択画面を表示し、用紙選択画面で写真用紙以外の用紙が選択された場合は、加工手段２０３は、縦横比に基づく加工を行わないようにしてもよい。また、表示制御手段２０１は、用紙選択画面で写真用紙以外の用紙が選択された場合は、用紙の選択を確認する確認画面、及び印刷設定の内容を確認する確認画面を表示するよう制御してもよい。
【００３６】
図４は、図３に示すメニュー画面１００において「フォト用紙にプリント」のプリントモード１０１を選択した場合に操作表示部２２に表示される写真選択画面の一例を示す図である。写真選択画面１１０には、前の画面に戻るための戻るボタン１１１と、送信を指示する送信ボタン１１２と、タップすると写真を追加できる追加領域１１３とが表示されている。
【００３７】
図５は、トリミング画面の一例を示す図である。トリミング画面１２０には、前の画面に戻るための戻るボタン１２１と、加工内容を承認するためのＯＫボタン１２２と、表示領域１２３とを含む。表示領域１２３には、トリミング処理の対象の写真が表示される。図５に示す場合、オリジナルの写真５１の縦横比は、予め定められた縦横比の範囲（例えば、１：１．３〜１：１．５）の上限値の１：１．５を超えているため、オリジナルの写真５１に１：１．５の縦横比の矩形状の赤色のトリミング枠１２４が重ねて表示されている。このトリミング枠１２４は、ユーザのタッチ操作によって左右方向にずらすことができる。この場合、トリミング枠１２４の部分を手指等でタッチし、タッチした状態で手指等をスライドさせて行う。トリミング枠１２４は、削除後の範囲（加工後の写真５１ａの範囲）を示すマークの一例である。
【００３８】
図６は、余白付加画面の一例を示す図である。余白付加画面１３０には、図５と同様に、前の画面に戻るための戻るボタン１３１と、加工内容を承認するためのＯＫボタン１３２と、表示領域１３３とを含む。表示領域１３３には、余白付加処理の対象の写真が表示される。図６に示す場合、オリジナルの写真５２の縦横比は、予め定められた縦横比の範囲（例えば、１：１．３〜１：１．５）の下限値の１：１．３未満であるため、写真５２の両端部に余白領域５２ａ、５２ｂが付加されている。
【００３９】
図７は、複数の写真が選択された状態を示す写真選択画面１１０の一例を示す図である。写真選択画面１１０には、加工が何もされなかったオリジナルの写真５０、トリミング処理された加工後の写真５１ａ、余白領域が付加された加工後の写真５２ｃのサムネイル画像が配置されている。
【００４０】
図８は、予約番号一覧画面の一例を示す図である。予約番号一覧画面１４０は、写真をアップロードした後に操作表示部２２に表示される画面である。予約番号一覧画面１４０には、予約中のファイル１４３のリストが表示される。今アップロードしたファイル１４３は一番上に表示される。アップロードされたファイル１４３には、予約番号が付与され、予約番号の有効期限、ファイル名、印刷用紙のサイズ（例えば、Ｌサイズ）、ファイルに含まれる枚数（例えば、２枚）が表示される。
【００４１】
また、予約番号一覧画面１４０には、ゴミ１４１、メール１４２のアイコンが表示されている。いずれかのファイル１４３を選択し、ゴミ１４１を選択すれば、当該ファイルを削除することができる。いずれかのファイル１４３を選択し、メール１４２を選択すれば、当該ファイルをメールで送信することができる。
【００４２】
（実施の形態の動作）
次に、画像形成システム１の動作の一例について説明する。以下の説明では写真を印刷する場合について説明する。
【００４３】
（１）全体のフロー
まず、全体のフローについて説明する。ユーザが端末装置２の操作表示部２２を操作して写真を選択し、選択した写真をファイルとしてサーバ装置３にアップロードする。サーバ装置３は、ファイルに予約番号を付与して管理するとともに予約番号をユーザに通知する。
【００４４】
ユーザは画像形成装置４が設置されている場所に行き、画像形成装置４に予約番号を入力する。入力された予約番号とサーバ装置３が管理している予約番号とが合致すれば、サーバ装置３は対応するファイルを画像形成装置４に送信する。画像形成装置４は、サーバ装置３から送信されたファイルに含まれている写真を写真用紙（プリント用紙ともいう。）に印刷して出力する。
【００４５】
（２）写真をアップロードする場合
写真をアップロードする場合について、図１１のフローチャートに従って説明する。
【００４６】
ユーザが端末装置２の操作表示部２２を操作してメニュー画面１００の表示を要求すると、表示制御手段２０１は、図３に示すようにメニュー画面１００を操作表示部２２に表示するよう制御する（Ｓ１）。メニュー画面１００には、複数のプリントモード１０１〜１０５が表示されている。ここでは、ユーザが「フォト用紙にプリント」のプリントモード１０１を選択したとする。
【００４７】
受付手段２００は、「フォト用紙にプリント」のプリントモード１０１の選択を受け付けし、表示制御手段２０１は、図４に示すように写真選択画面１１０を操作表示部２２に表示するよう制御する（Ｓ２）。
【００４８】
写真選択画面１１０の追加領域１１３をタップすると、写真を管理しているアプリケーションが起動し、写真の一覧を表示する。ユーザが写真の一覧から写真を選択すると（Ｓ３：Ｙｅｓ）、指示手段２０２は、選択された写真の縦横比と予め定められた縦横比の範囲とを比較する（Ｓ４）。
【００４９】
指示手段２０２は、選択されたオリジナルの写真５０（図７参照）の縦横比が予め定められた縦横比の範囲（例えば、１：１．３〜１：１．５）に含まれると判断した場合は、写真５０の加工は不要との判定結果を表示制御手段２０１に通知する。
【００５０】
表示制御手段２０１は、写真５０のサムネイル画像を図７に示すように写真選択画面１１０の左上に配置する（Ｓ５）。
【００５１】
指示手段２０２は、選択されたオリジナルの写真５１（図５参照）の縦横比が予め定められた縦横比の範囲の上限値（例えば、１：１．５）を超えると判断した場合は、写真５１はトリミング処理の対象であるとの判定結果を表示制御手段２０１に通知する。
【００５２】
表示制御手段２０１は、図５に示すように写真５１を含むトリミング画面１２０を操作表示部２２に表示するよう制御する（Ｓ６）。表示制御手段２０１は、トリミング処理の範囲を示すトリミング枠１２４を写真５１に重ねて表示する。トリミング枠１２４の外側の領域（削除領域という。）５１ｂ、５１ｃがトリミング処理により削除される領域となる。
【００５３】
トリミング画面１２０のＯＫボタン１２２が操作された場合（Ｓ７：Ｙｅｓ）、加工手段２０３は、トリミング枠１２４の外側の削除領域５１ｂ、５１ｃを削除するトリミング処理を行う。このトリミング処理により写真５１ａが作成される。
【００５４】
表示制御手段２０１は、加工後の写真５１ａのサムネイル画像を図７に示すように写真選択画面１１０の右上に配置する（Ｓ５）。
【００５５】
ＯＫボタン１２２が操作されず（Ｓ７：Ｎｏ）、戻りボタン１２１も操作されない場合（Ｓ８：Ｎｏ）、ステップＳ２の写真選択画面１１０の表示に戻る。すなわちトリミング処理の対象の写真５１は、選択されなかったことになる。
【００５６】
指示手段２０２は、選択されたオリジナルの写真５２（図６参照）の縦横比が予め定められた縦横比の範囲の下限値（例えば、１：１．３）未満と判断した場合は、写真５２は余白付加処理の対象であるとの判定結果を表示制御手段２０１に通知する。
【００５７】
表示制御手段２０１は、図６に示すように写真５２を含む余白付加画面１３０を操作表示部２２に表示するよう制御する（Ｓ９）。表示制御手段２０１は、写真５２の左右の両側に余白領域５２ａ、５２ｂを付加する。
【００５８】
余白付加画面１３０のＯＫボタン１３２が操作された場合（Ｓ１０：Ｙｅｓ）、加工手段２０３は、余白領域５２ａ、５２ｂを付加する余白付加処理を行う。この余白付加処理により加工後の写真５２ｃが作成される。
【００５９】
表示制御手段２０１は、加工後の写真５２ｃのサムネイル画像を図７に示すように写真選択画面１１０の２行目の左側に配置する（Ｓ５）。
【００６０】
ＯＫボタン１３２が操作されずに（Ｓ１０：Ｎｏ）、戻りボタン１３１も操作されない場合（Ｓ１１：Ｎｏ）、ステップＳ２の写真選択画面１１０の表示に戻る。すなわち余白付加処理の対象の写真５２は、選択されなかったことになる。
【００６１】
選択された写真が写真選択画面１１０に配置された後（Ｓ７）、表示制御手段２０１は、選択された写真の数が最大数（例えば、１０枚）に達したか否かを判断する（Ｓ１２）。選択された写真の数が最大数に達していなければ（Ｓ１２：Ｎｏ）、表示制御手段２０１は、アップロードするか否かを、送信ボタン１１２が操作されたか否かで判断し（Ｓ１３）、送信ボタン１１２が操作されていなければ（Ｓ１３：Ｎｏ）、ステップＳ２の写真選択画面１１０の表示に戻る。
【００６２】
選択された写真の数が最大数に達していれば（Ｓ１２：Ｙｅｓ）、表示制御手段２０１は、アップロードするか否かを送信ボタン１１２が操作されたか否かで判断し（Ｓ１４）、送信ボタン１１２が操作された場合は、（Ｓ１４：Ｙｅｓ）、送信手段２０４は、写真のファイルをインターネット５を介してサーバ装置３に送信する。表示制御手段２０１は、アップロードの進捗状況を示すアップロード画面を操作表示部２２に表示し（Ｓ１５）、図８に示すように予約番号一覧画面１４０を操作表示部２２に表示するよう制御する（Ｓ１２）。
【００６３】
（３）選択した写真を取り消す場合
選択した写真を取り消す場合は、写真選択画面１１０において、取り消したい写真をタップする。一般的には写真をタップすると、写真が拡大されて表示されるが、本実施の形態では、写真が拡大表示されずに図９に示すように写真取消画面１５０を操作表示部２２に表示する。
【００６４】
写真取消画面１５０には、取り消し対象の写真５１ａに赤枠１５１が付加されて表示され、「選択取り消し」ボタン１５２及び「キャンセル」ボタン１５３が表示される。「選択取り消し」ボタン１５２を操作することにより取り消し対象の写真５１ａが図１０に示すように取り消される。「キャンセル」ボタン１５３を操作すると、写真の取り消しがキャンセルされる。従来は、例えば、ゴミ箱のアイコンを選択し、ラジオボタンが表示され、取り消し対象の写真のラジオボタンにチェックを入れ、確認のボックスで「はい」を選択して取り消し対象の写真を取り消していた。すなわち５つのステップを経ていたが、本実施の形態によれば、取り消し対象の写真をタップし、「選択取り消し」ボタン１５２を操作するという２つのステップで済むことになる。
【００６５】
以上、本発明の実施の形態を説明したが、本発明の実施の形態は上記実施の形態に限定されるものではなく、本発明の要旨を変更しない範囲内で種々の変形、実施が可能である。例えば、サーバ装置３が有する機能を画像形成装置４に持たせてもよい。すなわち、端末装置２から画像形成装置４に画像を送信し、画像形成装置４で画像を記憶するとともに予約番号を発番して端末装置２に予約番号を通知し、画像形成装置４に予約番号を入力して対応する画像を用紙に印刷させる。
【００６６】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６７】
また、本発明の要旨を変更しない範囲内で、上記実施の形態の構成要素の一部を省くことや変更することが可能である。例えば、端末装置２が有する加工手段２０３を省いて画像形成装置４が加工手段２０３を有してもよい。この場合、端末装置２の指示手段２０２による指示内容を画像形成装置４に送信する。
【００６８】
また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００６９】
１…画像形成システム、２…端末装置、３…サーバ装置、４…画像形成装置、５…インターネット、２０…制御部、２１…記憶部、２２…操作表示部、２３…無線通信部、５０、５１、５２…オリジナルの写真、５１ａ、５２ｃ…加工後の写真、５１ｂ、５１ｃ…削除領域、５２ａ、５２ｂ…余白領域、１００…メニュー画面、１０１-１０５…プリントモード、１１０…写真選択画面、１１１…戻りボタン、１１２…送信ボタン、１１３…追加領域、１２０…トリミング画面、１２１…戻りボタン、１２２…ＯＫボタン、１２３…表示領域、１２４…トリミング枠、１３０…余白付加画面、１３１…戻りボタン、１３２…ＯＫボタン、１３３…表示領域、１４０…予約番号一覧画面、１４１…ゴミ、１４２…メール、１４３…ファイル、１５０…写真取消画面、１５１…赤枠、１５２…「選択取り消し」ボタン、１５３…「キャンセル」ボタン、２００…受付手段、２０１…表示制御手段、２０２…指示手段、２０３…加工手段、２０４…送信手段、２１０…プログラム、２１１…画像データ
【図１】
2019022082.tif 000003
【図２】
2019022082.tif 000004
【図３】
2019022082.tif 000005
【図４】
2019022082.tif 000006
【図５】
2019022082.tif 000007
【図６】
2019022082.tif 000008
【図７】
2019022082.tif 000009
【図８】
2019022082.tif 000010
【図９】
2019022082.tif 000011
【図１０】
2019022082.tif 000012
【図１１】
2019022082.tif 000013